(57)【要約】【課題】視認性に優れ、液晶パネルの劣化や結露の生じ難い操作表示装置を提供する。【解決手段】パネルカバー２０の透明窓３２を介して視認する液晶パネル２４を制御装置３７上に設け、その液晶パネル２４を覆うように透明シート２８を両面接着テープ４５にて貼り付けたケース３３を有し、そのケース３３の下面には、切欠５２を設け、制御装置３７に装着した時、制御装置３７との間に隙間を構成し、ケース３３の内外の制御装置３７の表裏面に、防湿ポッティング剤３８を充填するようにし、また、その液晶パネル２４を覆うケース３３には、側面部に小孔４０を１個または複数個設けてケース３３の外側と内側とを同気圧になるように構成したことにより、液晶パネル２４の表面が結露しないので、液晶パネル２４が劣化しにくく、信頼性を高めることができる。【選択図】図３
2009189678.tif 000002
【特許請求の範囲】
【請求項１】
操作ボタン部と表示部と前記表示部の一部にパネル開口部とを有する操作表示パネルと、前記操作表示パネル上面を覆うように構成し前記操作ボタン部に対応する操作部と前記表示部に対応する透明窓とを有するパネルカバーと、前記操作表示パネルの下方に配され前記操作ボタン部の対応位置に配されたスイッチと表示部の対応位置に配された表示素子および、洗濯、すすぎ、脱水の設定条件および残時間等を表示する液晶パネルを積載した制御装置と、前記制御装置に装着した前記液晶パネルの上面部に対応したケースとを備え、前記ケースには開口部を形成すると共に、前記開口部に前記ケース内部を密閉するように覆った透明シートを配し、前記液晶パネルを覆う前記ケースはその下端部を前記制御装置に当接させると共に、前記下端部の一部に切欠を設けることで前記ケースを前記制御装置に装着したとき前記制御装置との間に隙間を構成し、前記ケースの内外の前記制御装置の裏表面に防湿ポッティング剤を充填するように構成した操作表示装置。
【請求項２】
ケースの開口部は、外周部分に両面接着テープによる接着部を有する透明シートを貼り付ける構成とした請求項１記載の操作表示装置。
【請求項３】
透明シートは、液晶パネルの表示する部分を透明にし、前記液晶パネルの表示部分より外方は不透明とした請求項１または２に記載の操作表示装置。
【請求項４】
液晶パネルを覆うケースは、側面の一部に小孔を１個または複数個設けた請求項１〜３のいずれか１項に記載の操作表示装置。
【発明の詳細な説明】
【技術分野】
【０００１】
本発明は、操作ボタン部の操作に対応して表示する液晶パネル部を搭載した操作表示装置に関するものである。
【背景技術】
【０００２】
従来、この種の洗濯機等に使用される従来の操作表示装置は、図５、６に示すように構成していた。以下、その構成について説明する。
【０００３】
図５は、従来の操作表示装置を備えた洗濯機の要部上面図、図６は、同操作表示装置の分解斜視図である。
【０００４】
図５に示すように、操作表示パネル１は、洗濯機の洗濯槽（図示せず）を開閉自在に覆う蓋２の前方（手前側）に取り付けており、この操作表示パネル１の上面にシート材で構成されたパネルシート３を貼り付けている。このパネルシート３に、操作部４、５、コース表示部６ａ、６ｂ、６ｃなどを設けている。操作部４は洗濯動作を開始するとき操作するものであり、操作部５は、所定の運転コースを選択するとき操作するものである。
【０００５】
コース表示部６ａ、６ｂ、６ｃは、操作部５により所定の運転コースを選択すると点灯する。電源入りスイッチ７ａは、洗濯機本体に電源を投入するものであり、電源切りスイッチ７ｂは、洗濯機本体の電源を遮断するものである。
【０００６】
つぎに、図６に示すように、操作表示パネル１の操作表示部８の下方に洗濯機の運転を制御する制御装置９を装着し、この制御装置９に複数のスイッチ１０を設けている。このスイッチ１０は、操作表示部８の操作ボタン部１１に対応した位置に設けられ、この操作ボタン部１１に設けた押圧部１２を押圧することでオン、オフできるように構成されている。ここで、操作ボタン部１１は、弾性を有するように形成したボタン支持部１３により操作表示部８に上下動自在に支持されている。
【０００７】
操作表示部８の上面には、弾性を有するパネルシート３を貼着し、パネルシート３に設けた操作部４、５より、操作ボタン部１１を介してスイッチ１０を押圧できるようにしている。
【０００８】
また、パネルシート３のコース表示部６ａ、６ｂ、６ｃの表示は、制御装置９にセットした表示ケース１４に設けたＬＥＤ（発光ダイオード）等からなる表示素子１５の点灯や点滅等で、裏面からパネルシート３の表面に印刷してあるコースの表示を照射することにて構成される。
【０００９】
上記表示ケース１４は、操作表示パネル１に形成した開口部である表示窓１６に下方より挿入してセットする。
【００１０】
上記構成において、その動作を説明すると、電源入りスイッチ７ａをオンし、さらに操作部５をオンする。このとき、操作ボタン部１１に設けた押圧部１２によりスイッチ１０を押圧してオンし、所定の運転コースを選択する。このとき、コース表示部６ａ、６ｂ、６ｃと順次コース内容が変わり、使用者が希望のコースを選択する（例えば、特許文献１参照）。
【特許文献１】特開２００４−０７３７０６号公報
【発明の開示】
【発明が解決しようとする課題】
【００１１】
しかしながら、このような従来の操作表示装置の構成では、制御装置９にセットした表示ケース１４を操作表示パネル１に設けた開口部である表示窓１６に下方より挿入しセットする構造のため、表示ケース１４の外形と表示窓１６の内形は、挿入しやすくする目的や部材のばらつきを吸収するために余裕を設ける必要がある。その結果、表示部６ａ、６ｂ、６ｃ等の表示位置と表示ケース１４の位置がずれることがあり、視認性に課題があった。
【００１２】
また、複数の表示素子１５の光を、隣り合う表示部（例えば６ａと６ｂ）に互いに照射しないようにするため、表示ケース１４の上端がパネルシート３の裏面に近接させすぎた場合、部材のばらつき等により、上端がパネルシート３裏面に接触し押上げたりすることがあり、その結果、シート材で構成されたパネルシート３が凹凸に見えたりして、美観を損ねるという課題があった。
【００１３】
また、ＬＥＤ（発光ダイオード）等の表示素子１５のみの操作表示のため、表示にメリハリがなく、常に使用する表示とあまり使わない表示とで、差別化ができにくいという課題があった。
【００１４】
さらに、冬場に温水を使用した場合において、その温水の湯気がコース表示部６ａ、６ｂ、６ｃ等に浸入して、そこに水滴が付着し、表示が見えにくくなり、美観をそこねるという課題があった。
【００１５】
本発明は、前記従来の課題を解決するもので、液晶パネルを用いることにより、使用者に強調したい部分を視認しやすく表示でき、かつ結露に対する信頼性の低い液晶パネルを、この構成を用いることにより、結露による絶縁劣化が無い信頼性の高い操作表示装置として提供することを目的とする。
【課題を解決するための手段】
【００１６】
前記従来の課題を解決する為に、本発明の操作表示装置は、操作ボタン部と表示部と前記表示部の一部にパネル開口部とを有する操作表示パネルの上面に操作部と透明窓とを有するパネルカバーを覆うように配し、前記操作表示パネルの下方には、スイッチと表示素子および、液晶パネルを積載した制御装置と、前記液晶パネルの上面部に対応したケースとを備え、前記ケースには開口部を形成すると共に、前記開口部に前記ケース内部を密閉するように覆った透明シート配し、前記液晶パネルを覆うケースはその下端部を前記制御装置に当接させると共に、前記下端部の一部に切欠を設けることでケースを制御装置に装着したとき制御装置との間に隙間を構成し、前記ケースの内外の前記制御装置の裏表面に防湿ポッティング剤を充填するように構成したものである。
【００１７】
これによって、万一、急激な温度、湿度変化により結露水が操作表示パネル内部に浸入しても液晶パネル内部を密閉構造にすることで液晶パネルの表面には結露せず、結露に対する信頼性の低い液晶パネルを保護することができ、常に明瞭な表示を使用者に提供することが可能となり、美観を損ねることもなく、液晶パネルの信頼性を向上させることができるため、信頼性の高い操作表示装置を実現することができる。
【発明の効果】
【００１８】
本発明の操作表示装置は、美観に優れ、液晶パネルの表面が結露しないので、液晶パネルが劣化しにくく、信頼性を高めることができる。
【発明を実施するための最良の形態】
【００１９】
第１の発明は、操作ボタン部と表示部と前記表示部の一部にパネル開口部とを有する操作表示パネルと、前記操作表示パネル上面を覆うように構成し前記操作ボタン部に対応する操作部と前記表示部に対応する透明窓とを有するパネルカバーと、前記操作表示パネルの下方に配され前記操作ボタン部の対応位置に配されたスイッチと表示部の対応位置に配された表示素子および、洗濯、すすぎ、脱水の設定条件および残時間等を表示する液晶パネルを積載した制御装置と、前記制御装置に装着した前記液晶パネルの上面部に対応したケースとを備え、前記ケースには開口部を形成すると共に、前記開口部に前記ケース内部を密閉するように覆った透明シートを配し、前記液晶パネルを覆う前記ケースはその下端部を前記制御装置に当接させると共に、前記下端部の一部に切欠を設けることで前記ケースを前記制御装置に装着したとき前記制御装置との間に隙間を構成し、前記ケースの内外の前記制御装置の裏表面に防湿ポッティング剤を充填するように構成したことにより、万一、急激な温度、湿度変化により結露水が操作表示パネル内部に浸入しても液晶パネル内部を密閉構造にすることで液晶パネルの表面には結露せず、結露に対する信頼性の低い液晶パネルを保護することができ、常に明瞭な表示を使用者に提供することが可能となり、美観を損ねることもなく、液晶パネルの信頼性を向上させることができるため、信頼性の高い操作表示装置を実現することができる。
【００２０】
第２の発明は、特に、第１の発明のケースの開口部は、外周部分に両面接着テープによる接着部を有する透明シートを貼り付ける構成としたことにより、生産工程で万一、防湿ポッティング剤を充填する際に液晶パネルを囲むケース内部にゴミ、埃等の異物が侵入しても透明シートを取り外すことで異物を除去することとなり、生産性を向上でき、かつ安価で、さらに信頼性の高い操作表示装置を実現することができる。
【００２１】
第３の発明は、特に、第１または第２の発明の透明シートは、液晶パネルの表示する部分を透明にし、前記液晶パネルの表示部分より外方は不透明としたことにより、液晶パネルの表示部以外を隠すこととなり、液晶パネル上部斜め方向等からのぞいたときでも液晶パネル表示部以外は見えなくなり、美観を向上させることができる。
【００２２】
第４の発明は、特に、第１〜３のいずれか１つの発明の液晶パネルを覆うケースは、側面の一部に小孔を１個または複数個設けたことにより、液晶パネルを覆う透明シート付きケースの外側と内側とが同気圧になり、ケースの内面に結露が発生することを抑え、美観をそこなうことがなくなると同時に、液晶パネルが吸水して、絶縁劣化することを防止することができる。
【００２３】
以下、本発明の実施の形態について、図面を参照しながら説明する。なお、この実施の形態によって本発明が限定されるものではない。
【００２４】
（実施の形態１）
図１は、本発明の第１の実施の形態における操作表示装置を搭載した洗濯機の要部上面図、図２は、同洗濯機の制御板を組み込んだ制御装置ケースの平面図、図３は、同洗濯機の操作表示装置の図１のＡ−Ａ断面図、図４は、同操作表示装置を搭載した洗濯機の正面図である。
【００２５】
図１において、洗濯機の操作表示面全体を構成するパネルカバー２０は、プラスチック成形部材にて構成されている。
【００２６】
パネルカバー２０には、洗濯機本体（図示せず）に電源を投入する際に操作する電源入スイッチ２１および電源を遮断する際に操作する電源切スイッチ２２、洗濯等の動作をスタートあるいは一時停止する際に操作するスタート・一時停止スイッチ２３、洗濯機として動作させるモードを選択するモード選択スイッチ２５、モード洗濯後に各運転コースを
選択するコース選択スイッチ２６、更に洗濯・すすぎ・脱水・乾燥の各工程の詳細時間および運転するか否かを選択する個別設定スイッチ等を有する操作部２９と、これらの操作部２９の操作にて設定される内容を表示させる表示部３１として液晶パネル２４と発光ダイオード窓３０等で構成される。
【００２７】
またパネルカバー２０には横長縦矩形状の透明窓３２を有し、ＰＥＴ材（ポリエチレンテレフタレート樹脂材）等で作成した透明シート２８を介して液晶パネル２４を透過視認する構成である。
【００２８】
図２の制御装置ケースの平面図において、図１で説明したパネルカバー２０の透明窓３２に対応して、その裏面内方には、液晶パネル２４の表示を透過視認できるように透明に設けられた透明シート２８を有している。
【００２９】
透明シート２８は、液晶パネル２４の表示する部分のみが透明になっていて、周囲は液晶パネル２４のバックライトの光漏れの防止や、美観上液晶パネル２４の構造体が上部斜め方向からでも見えないように、斜線で示した不透明部４３を構成している。
【００３０】
図３の断面図において、洗濯機の上面前方にパネルカバー２０を配し、パネルカバー２０の断面は緩やかな凸形状に形成するとともに、表面にフィルム５０をインサート成型したプラスチック成形部材にて構成する。
【００３１】
前記凸形状部には、透明窓３２を一体形成する。この透明窓３２の構成方法は、例えば、パネルカバー２０を透明プラスチック成形材で、フィルム５０を透明のシートで構成し、このフィルム５０の透明部分以外を塗装加工やプリント印刷により被覆しても良い。
【００３２】
パネルカバー２０の内方には、ポリプロピレン樹脂やＡＢＳ樹脂により形成した操作表示パネル４９を配して、パネルカバー２０が前記操作表示パネル４９の上面を覆う構成とする。
【００３３】
前記操作表示パネル４９の裏面側に制御装置３７を内設した制御装置ケース３６を配し、制御装置ケース３６は、ねじ４２によりパネルカバー２０の裏面に一体形成したボス部５１に固定する。この時、操作表示パネル４９の外縁部に一体形成した取付け部リブ４９ａを、前記ボス部５１の段部５１ａに挟み込むことにより、操作表示パネル４９も同時にパネルカバー２０に固定する。
【００３４】
操作表示パネル４９の略中央部の、パネルカバー２０の透明窓３２の対応位置は、凹状にパネル開口部４４を形成し、このパネル開口部４４に液晶パネル２４を覆ったケース３３を裏方向からはめ込む。
【００３５】
前記制御装置３７には、液晶パネル２４やスイッチ部品３４（スイッチ）や発光ダイオード３５（表示素子）が半田固定されており、防湿処理のために半田ディップの後にポリウレタン樹脂等で構成された防湿材からなる防湿ポッティング剤３８を制御装置ケース３６底部に充填させて、制御装置３７の表裏を覆うように防湿処理を施す。
【００３６】
液晶パネル２４はリード部２４ａを制御装置３７に半田ディップ加工のあと、上方から覆うように断面が略コ字状をした下面開放の箱体形状で上部に略ロ字状の開口部３９を有するプラスチック材料で構成されたケース３３を配し、そのケース３３の下端部５３は制御装置３７の上面に当接し、ケース３３上面周縁部には密閉状に接着する両面接着テープ４５（接着部）を有するＰＥＴ材等で構成された透明シート２８を貼り付ける構成としている。
【００３７】
上記のように、液晶パネル２４をケース３３及び両面接着テープ４５を有した透明シート２８で密閉構造とし、防湿ポッティング剤３８を充填させることでケース３３の側面内外側をシールすることができる。
【００３８】
なお、ケース３３の下端の一部にはケース３３の内外に通じる切欠５２を複数個設けて、防湿材からなる防湿ポッティング剤３８を充填させる際の通路とし作業工程を短時間で行うようにし、防湿材の充填後は通路が閉じられる構成としている。
【００３９】
また、側面壁には、φ０．８ｍｍ程度の小孔４０を１個ないし、複数個設けており、ケース３３の外側と内側とが同気圧になるようにしている。
【００４０】
操作表示パネル４９に上下動可能に一体形成された操作ボタン部４１は、パネルカバー２０の透明窓３２下方前方近傍に、パネルカバー２０の上面に穿設せしめ、インサート成型されたフィルム５０に凸状に形成した操作部２９を押圧することより制御装置３７に装着したスイッチ部品３４に信号が入力される。
【００４１】
操作部２９の近傍には、図１にて示した電源入スイッチ２１、電源切スイッチ２２、スタート・一時停止スイッチ２３、モード選択スイッチ２５、コース選択スイッチ２６、個別設定スイッチ等の操作部の印刷表示を施す。
【００４２】
また液晶パネル２４の表示部は、透明シート２８およびパネルカバー２０の透明窓３２を介し、フィルム５０の外側から見えるようになっているが、透明シート２８の外周部分は透過性をなくした不透明部４３を構成し、パネルカバー２０からの透明窓３２の外側から液晶パネル２４の表示のみが見えるようにして美観を向上させている。
【００４３】
図４において、洗濯機本体４６の正面中央部に開閉自在に扉４８を配し、前記扉４８を開いて洗濯物を内部に投入する洗濯兼脱水槽４７を構成し、前記扉４８および洗濯兼脱水槽４７の上部に操作表示パネル４９を配置させる。
【００４４】
操作表示パネル４９の透明窓３２から、透明シート２８の透過性のある箇所より内部の液晶パネルの表示を視認する。
【００４５】
以上のように構成された操作表示装置について、以下その動作、作用、および効果を説明する。
【００４６】
液晶パネル２４の制御装置３７への取り付け部の防水、防湿には、電装部品を結露等による絶縁劣化から守るための防湿ポッティング剤３８を制御装置３７の表裏面に注入し、液晶パネル２４の防水にはケース３３及び外周部を両面接着テープ４５で貼り付けた透明シート２８とで覆うように配し信頼性を向上させている。
【００４７】
万一、急激な温度、湿度変化により結露水が操作表示パネル４９内部に進入しても液晶パネル２４内部を密閉構造にすることで液晶パネル２４の表面には結露せず、結露に対する信頼性の低い液晶パネル２４を保護することができ、常に明瞭な表示を使用者に提供することが可能となり、美観を損ねることもなく、液晶パネルの信頼性を向上させることができるため、信頼性の高い操作表示装置を実現することができる。
【００４８】
防湿ポッティング剤３８を制御装置３７の表裏面に注入する際、防湿ポッティング剤３８が、ケース３３内にすばやく流れ込むように、ケース３３を制御装置３７に組み込んだ時、制御装置３７と隙間を設けるために下面には切欠５２を設けているので、ケース３３
内部の液晶パネル２４の制御装置３７との接続部分に防湿ポッティング剤３８を流し込むことができるため、品質を向上させることができるとともに、その作業工数を削減することができる。
【００４９】
また、生産工程で防湿ポッティング剤３８を充填する際に、万一液晶パネル２４を囲むケース３３内部にゴミ、埃等の異物が侵入した場合に、透明シート２８を一旦取り外して異物を除去した後、再度新に両面接着テープ４５で接着することで除去作業ができるので、防湿ポッティング剤３８の充填をしている工程の途中あるいは工程の終了後を問わず、ケース３３を取外す事無く異物除去ができるので、生産性を向上でき、かつ安価で、さらに信頼性の高い操作表示装置を実現することができる。
【００５０】
また、透明シート２８は液晶パネル２４の表示する部分のみ透明とし、それ以外は不透明部４３を形成することにより、液晶パネル２４の表示部以外を隠すこととなり、液晶パネル上部斜め方向等からのぞいたときでも液晶パネル表示部以外は見えなくなり、美観を向上させることができる。
【００５１】
また液晶パネル２４を覆うケース３３の側面の一部にφ０．８ｍｍ程度の小孔４０を１個ないし、複数個設けることにより、液晶パネル２４を覆うケース３３の外側と内側とが同気圧になり、ケース３３の内面に結露が発生することを抑え、美観をそこなうことがなくなると同時に、液晶パネル２４が吸水して、絶縁劣化することを防止する。
【産業上の利用可能性】
【００５２】
以上のように本発明にかかる操作表示装置は、視認性に優れ、液晶パネルの表面が結露しないので、液晶パネルが劣化しにくく、信頼性を高めることができるため、操作部、表示部を有する各種機器に適用できる。
【図面の簡単な説明】
【００５３】
【図１】本発明の実施の形態１における操作表示装置を搭載した洗濯機の要部上面図
【図２】同洗濯機の制御板を組み込んだ制御装置ケースの平面図
【図３】同洗濯機の操作表示装置の図１のＡ−Ａ断面図
【図４】同操作表示装置を搭載した洗濯機の正面図
【図５】従来の操作表示装置を備えた洗濯機の要部上面図
【図６】同操作表示装置の分解斜視図
【符号の説明】
【００５４】
２０  パネルカバー
２４  液晶パネル
２８  透明シート
２９  操作部
３１  表示部
３２  透明窓
３３  ケース
３４  スイッチ部品（スイッチ）
３５  発光ダイオード（表示素子）
３７  制御装置
３８  防湿ポッティング剤
３９  開口部
４０  小孔
４１  操作ボタン部
４４  パネル開口部
４５  両面接着テープ（接着部）
４９  操作表示パネル
５２  切欠
５３  下端部
【図１】
2009189678.tif 000003
【図２】
2009189678.tif 000004
【図３】
2009189678.tif 000005
【図４】
2009189678.tif 000006
【図５】
2009189678.tif 000007
【図６】
2009189678.tif 000008